(57)【要約】      （修正有）【課題】磁力線を発生する装置とそれを用いた廃棄物処理装置を提供する。【解決手段】強磁性体で作製された廃棄物処理装置１０は、廃棄物を投入する投入室１６と、投入した廃棄物に磁力線を照射する円筒形の廃棄物処理室１７と、磁力線を発生させる磁力線発生装置１０と廃棄物の燃焼によって生じた煙や臭いを処理する処理搭１８とよりなる廃棄物処理装置１００で、廃棄物処理室１７の下部に廃棄物を処理した灰を取り出す焼却灰取り出し口１９がある。廃棄物処理室１７の外周面に磁力線発生装置１０が上下２列に互い違い（ジグザグ）に着設した。【選択図】図３
2009006300.tif 000002
【特許請求の範囲】
【請求項１】
中空の管体の外周面に永久磁石の少なくとも一対の帯状のN極と帯状のS極を対向させて螺旋状に配置し、管体軸方向に磁場を発生させることを特徴とする磁力線発生装置。
【請求項２】
中空の管体の外周面に永久磁石の少なくとも一対の矩形状のN極と矩形状のS極を対向させて螺旋状の線上に間隔を開けて配置し、管体軸方向に磁場を発生させることを特徴とする磁力線発生装置。
【請求項３】
廃棄物を投入する投入室と、投入した廃棄物に磁力線を照射する円筒形の廃棄物処理室と、該廃棄物処理室に磁力線を供給する磁力線発生装置と、前記廃棄物処理室内で廃棄物の処理によって生じた煙や臭いを処理する処理塔とよりなる廃棄物処理装置であって、前記円筒形の廃棄物処理室の下部外周面に請求項１または請求項２に記載の磁力線発生装置を１対〜２０対着設したことを特徴とする廃棄物処理装置。
【請求項４】
円筒形の廃棄物処理室の下部外周面に磁力線発生装置を上下交互（ジグザグ状）に装着したことを特徴とする請求項３に記載の廃棄物処理装置。
【請求項５】
円筒形の廃棄物処理室の下部外周面に磁力線発生装置を装着し、廃棄物処理室内の磁力線供給口の下に電熱棒を着設したことを特徴とする請求項３または請求項４のいずれかに記載の廃棄物処理装置。
【発明の詳細な説明】
【技術分野】
【０００１】
本発明は、磁力線発生装置と該磁力線発生装置を用いた廃棄物処理装置に関する。より詳しくは、廃プラスチック、廃木材、生ゴミ、古紙等の有機廃棄物や、アスベスト、ＦＲＰ（強化プラスチック）等の廃棄物を有害ガス等を発生することなく灰化処理する磁力線発生装置を用いた廃棄物処理装置に関する。
【背景技術】
【０００２】
従来、廃プラスチック、廃木材、生ゴミ、古紙等の有機廃棄物は生活環境の向上により増加の一途をたどっている。しかも、このような有機廃棄物は燃料として重油等を用いて焼却処分されていた。重油等の天然資源を用いた廃棄物の処理は、重油等の燃料費の高騰による経済上の問題、ＣＯ２、ダイオキシン等の有毒ガスの発生等々環境汚染の問題等が生じている。このような問題を解決するために、環境に優しい廃棄物の処理方法、処理装置について種々検討されている。
【０００３】
特許文献１の請求項１には、電磁波発生装置と、電磁波を誘導する導波路と、加熱対象物を入れる容器とを有し、前記容器は、非磁性、低誘電損失で、形状が円錐型または角錘型または楔型またはおわん型で、前記導波路の中に位置し、容器の凸の方向が電磁波の方向に対向して配置されていることを特徴とする電磁波加熱装置、が開示されている。
【０００４】
特許文献２の請求項１には、強磁性体で形成された反応容器内に有機物を収容し、前記反応容器の内部と連通する外部管路を挟んでＮ極とＳ極とを互いに対向させて配置された少なくとも一対の磁石により形成された磁場を前記反応容器内に導入し、前記反応容器内に生じる磁場振動によって前記反応容器内の有機物を分解することを特徴とする有機物分解方法、が開示されている。
【０００５】
特許文献３の請求項１には、廃棄物が投入される密閉容器と、この密閉容器の上部に設けられて、この密閉容器内の発生ガスを排気する排気路と、前記密閉容器に設けられて、この密閉容器内に微量空気を送り込む給気路と、この給気路を挟むように設けられて、この給気通路を横切る磁場を形成する一対の磁石とを備えた廃棄物処理炉であって、前記密閉容器の内部には、その内壁面と間隔をおいた隔壁が設けられ、前記給気路の一部が、前記密閉容器の内壁面から内部へ向けて突設された導管によって形成されているとともに、この導管の先端の開口面が、前記導管の軸線に対して傾斜して形成されていることを特徴とする廃棄物処理炉、が開示されている。
【０００６】
上記のように廃プラスチック、廃木材、生ゴミ、古紙等の有機廃棄物については、環境に優しい廃棄物の処理方法が考えられているが、これらの有機廃棄物以外にも、アスベスト、ＰＣＢ等の人体に有害な廃棄物も多量に存在し、これらの処理方法は、未だ解決されていない。例えば、アスベストは、天然に産する蛇紋岩系および角せん石系の繊維状鉱物のことで、「石綿（せきめん、いしわた）」とも呼ばれ、耐熱性、耐磨耗性、耐腐食性などに優れるため、建材を中心に巾広く使用されてきた。しかし、アスベスト作業者やアスベスト製造工場の近隣住民が20〜40年の長い潜伏期間を経て、石綿肺・肺ガン・悪性中皮腫などが発症したことから、アスベストが人体に有害な物質であることが判明した。この有害なアスベストが建築物から除去されているが、有効な処分方法は見出されていない。
【０００７】
さらに、ＰＣＢ（ポリ塩化ビフェニル）は熱に対して安定で、電気絶縁性が高く、耐薬品性に優れていることから、加熱や冷却媒体、変圧器やコンデンサといった電気機器の絶縁油、可塑剤、塗料、ノンカーボン紙の溶剤等幅広く用いられていた。ＰＣＢが生体において脂肪組織に蓄積しやすく、発ガン性、皮膚障害、内臓障害、ホルモン異常を引き起こし、極めて毒性が高いことが判明した。しかし、ＰＣＢも極めて安定性が高いがために安全な処理方法が見出されていない。
【０００８】
上述のように、廃プラスチック、廃木材、生ゴミ、古紙等の有機廃棄物以外にも、アスベストやＰＣＢが処理出来る環境に優しい、廃棄物処理装置の出現が望まれている。
【特許文献１】特許登録第２７４６０９５号公報
【特許文献２】特開２００６−１５０２９５号公報
【特許文献３】特開２００６−２２３９７４号公報
【発明の開示】
【発明が解決しようとする課題】
【０００９】
本発明は、磁力線を発生する装置とそれを用いた廃棄物処理装置を提供する。本発明の磁力線発生装置を用いて、廃プラスチック、廃木材、生ゴミ、古紙等の有機廃棄物以外にも、ＰＣＢを発生する廃棄物の他、アスベストやＦＲＰ（強化プラスチック）等の廃棄物も処理することが出来る環境に優しい、廃棄物処理装置を提供するものである。
【課題を解決するための手段】
【００１０】
上記事実に鑑みて、廃プラスチック、廃木材、生ゴミ、古紙等の有機廃棄物以外にも、ＰＣＢを発生する廃棄物の他、アスベストやＦＲＰ（強化プラスチック）等の廃棄物も処理することができる環境に優しい、廃棄物処理装置と該廃棄物処理装置に用いることができる磁力線発生装置について、鋭意研究を重ねた。その結果、磁力線を発生する新規な磁力線発生装置を創製した。さらに、この新規な磁力線発生装置を装着した廃棄物処理装置を完成し、上記目的を達成した。
【００１１】
本発明の磁力線を発生する装置は、中空の管体の外周面に永久磁石の少なくとも一対の帯状のN極と帯状のS極を対向させて螺旋状に配置し、管体軸方向に磁場を発生させることを特徴とする磁力線発生装置である。管体の外周面にＮ極とＳ極をそれぞれ相対して１対装着するよりも、帯状のＮ極と帯状のＳ極を管体の外周面に相対して連続的に螺旋状に貼着することによって、効率よく磁力線を発生させることができる。
【００１２】
さらに、本発明の磁力線を発生する磁力線発生装置は、中空の管体の外周面に永久磁石の少なくとも一対の矩形状のN極と矩形状のS極を対向させて螺旋状の線上に間隔を開けて配置し、管体軸方向に磁場を発生させることを特徴とする磁力線発生装置である。帯状のＮ極と帯状のＳ極に換えて、矩形状のN極と矩形状のS極を対向させながら螺旋状の線上に間隔を開けて管体の外周面に貼着しても、帯状のＮ極と帯状のＳ極を貼着した場合と同様の効果が得られた。
【００１３】
本発明の廃棄物処理装置は、廃棄物を投入する投入室と、投入した廃棄物に磁力線を照射する円筒形の廃棄物処理室と、該廃棄物処理室に磁力線を供給する磁力線発生装置と、前記廃棄物処理室内で廃棄物の処理によって生じた煙や臭いを処理する処理塔よりなる廃棄物処理装置であって、前記円筒形の廃棄物処理室の下部外周面に請求項１または請求項２に記載の磁力線発生装置を１対〜２０対着設したことを特徴とする廃棄物処理装置である。
【００１４】
さらに、本発明の廃棄物処理装置は、円筒形の廃棄物処理室の下部外周面に磁力線発生装置を上下交互（ジグザグ状）に装着したことを特徴とする請求項３に記載の廃棄物処理装置である。前記の帯状のＮ極と帯状のＳ極、または、矩形状のN極と矩形状のS極を対向させながら管体の外周面に貼着した磁力発生装置を廃棄物処理装置の廃棄物処理室の外壁に上下２段に交互（ジグザグ）に着設することによって、廃棄物の処理幅を広くすることができる。
【００１５】
さらに、本発明の廃棄物処理装置は、円筒形の廃棄物処理室の下部外周面に磁力線発生装置を装着し、廃棄物処理室内の磁力線供給口の下に電熱棒を着設したことを特徴とする請求項３または請求項４のいずれかに記載の廃棄物処理装置である。廃棄物処理室内の磁力線供給口の下に電熱棒を着設することによって、廃棄物の温度を上昇させ、さらに、磁力線発生装置で生じた磁力線を速やかに処理室内に誘導することができる。
【発明の効果】
【００１６】
磁力線発生装置は帯状のＮ極と帯状のＳ極を中空の管体の外周面に螺旋状に貼着するか、若しくは矩形状のＮ極と矩形状のＳ極の板を中空の管体の外周面に少なくとも２枚以上貼着することによって、磁力線を効率よく発生させることができる。
【００１７】
廃棄物処理装置の円筒形の廃棄物処理室の外周面に少なくとも１対〜２０対の磁力線発生装置をジグザグ状に装着することによって、廃棄物処理室の温度を早く高めるとともに、磁力線によって生じる熱帯の幅を広くして、廃棄物の処理能力を高めることができる。
【００１８】
廃棄物処理室内の磁力線発生装置の磁力線供給口の下に電熱棒を装着することによって、廃棄物処理室内の廃棄物の温度を高め、さらに、磁力線発生装置の磁力線供給口から廃棄物処理室内への磁力線の供給を早くするとともに、磁力線の方向性を高くして、廃棄物処理室内の温度上昇を早くし、廃棄物の処理能力を上げることができる。
【００１９】
上記のように金属製の円筒状の廃棄物処理室内に１８０度隔てた、少なくとも一対の磁力線発生装置を装着させることにより、向かい合った磁力線発生装置の下部に装着された電熱棒の加熱作用で廃棄物中の有機廃棄物から遠赤外線放射エネルギーを引出し熱エネルギーとして廃棄物を加熱する。この放射された遠赤外線は金属製の円筒に当たって、反射して廃棄物をさらに加熱することとなる。
【発明を実施するための最良の形態】
【００２０】
本発明の磁力線を発生する磁力線発生装置は、帯状のＮ極と帯状のＳ極を相対するように管体の外周面に螺旋状に装着する。または、帯状のＮ極と帯状のＳ極の代わりに矩形状のＮ極と矩形状のＳ極を管体の外周面に相対するように少なくとも２個以上装着することによって、磁力線を発生することができる。
【００２１】
図１は、本発明の磁力線発生装置１０を示す。磁力線発生装置１０は図（１−１）に示すように、帯状のＮ極１３と帯状のＳ極１４を相対して管体（外管１２）の外周面に螺旋状に着設した。外管１２は、図（１−２）に示すように、保護函１１の中に収容されており、外管１２の先端部分の磁力線供給口１５は、円筒形の廃棄物処理室１７の中心方向に向けて挿入されている。磁力線供給口１５の挿入方向を円筒形の廃棄物処理室１７の中心方向に向けることによって、磁力線は対角線上の壁に当たって、反射が繰り返されていくので、磁力線をより効率よく利用することができる。ここで使用される永久磁石として、ネオジウム磁石、サマリウムコバルト磁石、アルコニ磁石等が例示でき、磁石の種類に限定されるものではない。
【００２２】
本発明の磁力線を発生する磁力線発生装置１０は、図２の（２−１）、（２ー２）に示すように、帯状の永久磁石の少なくとも一対のN極１３とS極１４を対向させながら螺旋状にかつ円筒形に巻いた中空の形態であることを特徴とする磁力線発生装置１０である。永久磁石のＮ極１３とＳ極１４を帯状にして磁力線発生装置１０の外管１２にＮ極１３とＳ極１４を対向させて螺旋状に着設することにより、磁力線を効率よく発生させることができる。
【００２３】
図２の（２−３）、（２−４）に示すように、帯状のＮ極とＳ極の代わりに、永久磁石の少なくとも一対の矩形状のN極１３と矩形状のS極１４を対向させながら螺旋状の線上に間隔を開けて円筒形に着設された中空の形態とする磁力線発生装置１０である。矩形状のＮ極と矩形状のＳ極の板体を貼着する個数は２〜２０個が適当であり、貼着する態様は図（２−２）で示すように、帯状のＮ極とＳ極で貼着したように、矩形状の板体が相互に密着しないように、管体の外周面に螺旋状の線上にＮ極とＳ極が相対して交互に貼着することが望ましい。
【００２４】
図３は、本発明の廃棄物処理装置１００の斜視図を示す。金属で作製された廃棄物処理装置１００は、廃棄物を投入する投入室１６と、投入した廃棄物に磁力線を照射する円筒形の廃棄物処理室１７と、磁力線を発生させる磁力線発生装置１０と廃棄物の処理によって生じた煙や臭いを処理する処理塔１８とよりなる廃棄物処理装置１００で、廃棄物処理室１７の下部に廃棄物を処理した灰を取り出す焼却灰取り出し口１９がある。廃棄物処理室１７の外周面に磁力線発生装置１０が上下交互（ジグザグ）に着設されている。ここで着設する磁力線発生装置１０は、廃棄物処理装置１００の大きさにも左右されるが、通常、１対〜２０対の磁力線発生装置１０を上下の間隔が少なくとも１〜２０ｃｍになるように装着する。
【００２５】
廃棄物処理室１００の外壁面に磁力線発生装置１０を上下交互（ジグザグ）に配置することによって、仮想平面上に一列に並べた場合に比し、磁力線によってできる高熱帯の幅が広くなり、より多くの廃棄物を高熱処理することができる。磁力線発生装置１０の着設方法は、上記の上下交互（ジグザグ）に配置することによって、廃棄物の処理効率が高められた。
【００２６】
煙や臭いの処理塔１８は、廃棄物処理室１７で発生した煙や臭いをフィルターとシャワーを組合せて臭いを除去し、さらにポリプロピレン系の樹脂を通過させて塵、吸着物質を除き、最後に脱臭剤を滴下して脱臭し、ｐＨ等を調整した後、排出される。煙や臭いはこの処理塔を通すことによって、無臭化、無毒化して排気する。
【００２７】
図４は、廃棄物処理装置１００の側面図を示す。廃棄物処理装置１００は、側面から示すと、廃棄物を投入する投入室１６と、投入した廃棄物に磁力線を照射する円筒形の廃棄物処理室１７と、磁力線を発生させる磁力線発生装置１０と廃棄物の処理によって生じた煙や臭いを処理する処理塔１８と廃棄物処理室１７の下部に廃棄物を処理した灰を取り出す焼却灰取り出し口１９がある。廃棄物処理室１７は磁力線や遠赤外線を反射する物体であれば特に限定されるものではない。また、廃棄物処理室１７は磁力線や遠赤外線を壁面に反射させながら、効率よく利用する観点から円筒形の容器が望ましい。
【００２８】
図５は、廃棄物処理装置１００の上面図を示す。廃棄物処理装置１００を上面から示すと、整備、点検用、及び廃棄物を投入のための階段２０と廃棄物を投入する投入室１６と、投入した廃棄物に磁力線を照射する円筒形の処理室１７と、磁力線を発生させる磁力線発生装置１０と廃棄物の処理によって生じた煙や臭いを抜く処理塔１８と廃棄物処理室１７の下部に廃棄物を処理した灰を取り出す焼却灰取り出し口１９がある。廃棄物の投入は、階段を上って人力で投入しても良いが、ベルトコンベヤ、樋等を用いて上から流し込むようにしても良い。
【００２９】
図６は電熱棒２２の斜視図である。ここで装着する電熱棒２２は、１〜１０分間通電して、磁力線供給口１５の回りの空気を１００℃〜１２０℃に上昇させればよく、それ程大きな容量の発熱体を用い無くともよい。電熱棒２２は磁力線の供給口１５から１〜１０ｃｍ位先に出すようにして着設して、磁力線供給口１５と同様に、廃棄物処理室１７の中心方向に向けて着設する。電熱棒２２は、図６に示すような棒状に限定されるものではなく、先端部分が丸い形状であってもよいが、廃棄物などを投入した時に毀損しない形状であることが望ましい。
【００３０】
図７は廃棄物処理装置１００の焼却灰取り出し口１９から見た、内壁部分の斜視図を示している。廃棄物処理室１７内の磁力線供給口１５の下に着設する電熱棒２２の位置関係を示す。磁力線供給口１５は廃棄物処理室１の内面に交互に高さを変えて装着し、その下に電熱棒２２が着設されている。磁力線発生装置１０で発生した磁力線は、電熱棒２２の発熱によって廃棄物が加熱されて、加熱された廃棄物から発生する遠赤外線に誘導される。磁力線供給口１５は、円筒形の廃棄物処理室１７の中心方向に向けて着設することによって、磁力線、または遠赤外線を円筒形の廃棄物処理室１７の内壁に効率よく反射させることができる。
【００３１】
このように、廃棄物処理室内の磁力線の供給口１５の下に電熱棒２２を装着することによって、廃棄物から遠赤外線を放出するのを促し、発生した遠赤外線により、磁力線発生装置１０の磁力線の供給口１５から廃棄物処理室１７内への磁力線の供給を早くするとともに、廃棄物処理室内の温度上昇を早くし、廃棄物の処理能力を上げることができる。上記のように、１８０度隔てた、少なくとも一対の磁力線発生装置を金属製の円筒に装着させることにより、向かい合った磁力線発生装置の下部に装着された電熱棒の加熱作用で廃棄物中の有機廃棄物から遠赤外線放射エネルギーを引出し熱エネルギーとして廃棄物を加熱する。この放射された遠赤外線は金属製の円筒に当たって、反射して廃棄物をさらに加熱することとなる。
【００３２】
アスベストと有機物との混合物を本発明の廃棄物処理装置内に投入して、数時間焼却処理した結果、アスベストは針状晶のものが消失して、不定形の灰に変化していた。一般に、アスベスト（白石綿）の溶解点は１５２０℃であることから推察すると、本発明の廃棄物処理室内の温度は少なくとも１５００℃以上に達していたものと考えられる。
【００３３】
一般に、ＰＣＢの高温焼却処理は、ＰＣＢを１１００℃以上の炉で熱分解する方法が採用されている。本発明の廃棄物処理装置は、上記のように、アスベストを処理した状況から推察すると、廃棄物処理室内の温度は１５００℃以上に達しているものと考えられることから、ＰＣＢを発生する廃棄物はもとより、ＰＣＢ自体の処理も可能である。
【図面の簡単な説明】
【００３４】
【図１】図１は、磁力線発生装置の外管の斜視図を示す。
【図２】図２は、磁力線発生装置の外管の表面にＮ極とＳ極を貼設した状態の平面図を示す。
【図３】図３は、磁力線発生装置を備えた廃棄物処理装置の斜視図を示す。
【図４】図４は、磁力線発生装置を備えた廃棄物処理装置の側面図を示す。
【図５】図５は、磁力線発生装置を備えた廃棄物処理装置の上面図を示す。
【図６】図６は、磁力線供給口の下に着設する電熱棒の斜視図を示す。
【図７】図７は、磁力線発生装置を備えた廃棄物処理装置の内部の部分斜視図を示す。
【符号の説明】
【００３５】
１００：廃棄物処理装置
１０：磁力線発生装置
１１：保護函
１２：外管
１３：Ｎ極
１４：Ｓ極
１５：磁力線供給口
１６：廃棄物投入室
１７：廃棄物処理室
１８：排煙処理塔
１９：焼却灰取り出し口
２０：階段
２１：配電盤
２２：電熱棒
２３：すのこ
【図１】
2009006300.tif 000003
【図２】
2009006300.tif 000004
【図３】
2009006300.tif 000005
【図４】
2009006300.tif 000006
【図５】
2009006300.tif 000007
【図６】
2009006300.tif 000008
【図７】
2009006300.tif 000009